(57)【特許請求の範囲】
【請求項１】
表面に座面および背もたれ面を有し内部における前記座面の下側および前記背もたれ面の後側となる位置が中空に形成された外殻部と、
該外殻部の内部における中空部分に設けられて植物が植栽された植栽部と、を有し、
前記外殻部には、前記座面および前記背もたれ面を貫通し内部と外部とを連通する多数の孔部が形成され、
前記中空部分における前記座面の下側および前記背もたれ面の後側は、それぞれ前記植栽部を設置可能に構成され、
前記中空部分に設置された前記植栽部は、前記座面を貫通する前記孔部および前記背もたれ面を貫通する前記孔部の少なくとも一方を介して前記外殻部の外部から鑑賞可能に構成されていることを特徴とする緑化ベンチ。
【請求項２】
前記植栽部は、前記植物を覆い前記外殻部側への移動を規制する網を有することを特徴とする請求項１に記載の緑化ベンチ。
【請求項３】
前記外殻部は、網状の部材で形成されていることを特徴とする請求項１または２に記載の緑化ベンチ。
【請求項４】
前記植栽部に潅水する潅水部を有し、
該潅水部は、前記植栽部への潅水の余剰水および雨水の少なくとも一方を貯水する貯水槽を有し、該貯水槽の水を前記植栽部に潅水することを特徴とする請求項１乃至３のいずれか一項に記載の緑化ベンチ。
【請求項５】
前記植栽部は、前記外殻部に着脱可能であることを特徴とする請求項１乃至４のいずれか一項に記載の緑化ベンチ。
【請求項６】
前記外殻部の内部と外部とにわたって前記植栽部をスライド可能に支持するスライド機構を有することを特徴とする請求項１乃至５のいずれか一項に記載の緑化ベンチ。
【発明の詳細な説明】
【技術分野】
【０００１】
本発明は、緑化ベンチに関する。
【背景技術】
【０００２】
近年、高齢社会の進行に伴い、高齢者の健康年齢延伸が望まれており、高齢者の屋外での運動や散歩などの重要性が認識されている。高齢者が運動したり、散歩の途中に休憩したりする場所として公園などがある。
ところで、例えば都市の公園など面積の小さい公園では、ベンチが設置された休息スペースを十分に確保できないことがある。そこで、限られたスペースにおいて緑地や花壇の役割を果たすとともに使用者が座って休憩できるベンチが求められている。
このようなベンチとして、座面に芝が植えつけられた緑化ベンチが知られている（例えば特許文献１参照）。緑化ベンチは、夏季に日射により座面が熱くなることがないため、使用者が快適に使用できるという利点がある。
【先行技術文献】
【特許文献】
【０００３】
【特許文献１】特開２００５−６５６３７号公報
【発明の概要】
【発明が解決しようとする課題】
【０００４】
しかしながら、特許文献１に開示されたような緑化ベンチでは、使用者が芝の上に直接座ることにより、芝が傷みやすいとともに、使用者の服が汚れたり、座面に虫が発生したりする心配がある。
【０００５】
そこで本発明は、緑地や花壇の役割を果たすとともに、使用者が快適に使用することができる緑化ベンチを提供することを目的とする。
【課題を解決するための手段】
【０００６】
上記目的を達成するため、本発明に係る緑化ベンチは、表面に座面および背もたれ面を有し内部における前記座面の下側および前記背もたれ面の後側となる位置が中空に形成された外殻部と、該外殻部の内部における中空部分に設けられて植物が植栽された植栽部と、を有し、前記外殻部には、前記座面および前記背もたれ面を貫通し内部と外部とを連通する多数の孔部が形成され、前記中空部分における前記座面の下側および前記背もたれ面の後側は、それぞれ前記植栽部を設置可能に構成され、前記中空部分に設置された前記植栽部は、前記座面を貫通する前記孔部および前記背もたれ面を貫通する前記孔部の少なくとも一方を介して前記外殻部の外部から鑑賞可能に構成されていることを特徴とする。
【０００７】
本発明では、外殻部には、多数の孔部が形成されていることにより、外殻部の内部に設けられた植栽部の植物を外部から多数の孔部を介して観賞することができる。このため、緑化ベンチは、植栽部が緑地や花壇の役割を果たすとともに、外殻部の座面および背もたれ面が使用者が快適に休息するためのベンチの役割を果たすことができる。なお、座面は使用者が着座する面を示し、背もたれ面は座面に着座した使用者が背中をつける背もたれとなる面を示している。
また、植栽部は、外殻部の内部に設けられていることにより、使用者が植栽部の植物に直接触れることがなく、植物が傷んだり、植物によって使用者の服が汚れたりすることを防止できる。
【０００８】
また、本発明に係る緑化ベンチでは、前記植栽部は、前記植物を覆い前記外殻部側への移動を規制する網を有することが好ましい。
このような構成とすることにより、植物が外殻部に形成された多数の孔部から外殻部の外部へ出てしまうことを抑えることができ、使用者が植物と接触することを防止できる。これにより、植物が傷んだり、植物によって使用者の服が汚れたりすることを防止できる。
【０００９】
また、本発明に係る緑化ベンチでは、前記外殻部は、網状の部材で形成されていてもよい。
このような構成とすることにより、網状の部材の網目を介して外殻部の外部から植栽部の植物を観賞できるとともに、植物に光を当てることができる。
【００１０】
また、本発明に係る緑化ベンチでは、前記植栽部に潅水する潅水部を有し、該潅水部は、前記植栽部への潅水の余剰水および雨水の少なくとも一方を貯水する貯水槽を有し、該貯水槽の水を前記植栽部に潅水することが好ましい。
このような構成とすることにより、植物への潅水に必要な水の節減を図ることができる。
【００１１】
また、本発明に係る緑化ベンチでは、前記植栽部は、前記外殻部に着脱可能であることが好ましい。
このような構成とすることにより、植栽部や外殻部のメンテナンスや交換を容易に行うことができる。
【００１２】
また、本発明に係る緑化ベンチでは、前記外殻部の内部と外部とにわたって前記植栽部をスライド可能に支持するスライド機構を有することが好ましい。
このような構成とすることにより、外殻部の孔部から内部の植栽部の上に物を落とした場合でも、植栽部をスライドさせて引き出すことで、落としたものを容易に回収することができるとともに植栽部のメンテナンスを容易に行うことができる。
【発明の効果】
【００１３】
本発明によれば、緑地や花壇の役割を果たすとともに、使用者が快適に使用することができる。
【図面の簡単な説明】
【００１４】
【図１】本発明の第１実施形態による緑化ベンチを示す斜視図である。
【図２】図１のＡ−Ａ線断面図である。
【図３】本発明の第２実施形態による緑化ベンチを示す正面図である。
【図４】本発明の第２実施形態による緑化ベンチを示す平面図である。
【発明を実施するための形態】
【００１５】
（第１実施形態）
以下、本発明の第１実施形態による緑化ベンチについて、図１乃至図４に基づいて説明する。
図１および図２に示す第１実施形態による緑化ベンチ１Ａは、公園などの地面１１に設置されている。緑化ベンチ１Ａは、外殻となる外殻部２と、外殻部２の内部に設けられた植栽部３と、植栽部３に潅水を行う潅水部４と、植栽部３を外殻部２の内部と外部とにわたってスライド可能に支持するスライド機構５と、を有している。
外殻部２には、使用者が着座する座面２ａと、座面２ａに着座した使用者が背中を付ける背もたれ面２ｂと、が形成されている。ここで、使用者が外殻部２の座面２ａに着座し背もたれ面２ｂに背中を付けた状態において、使用者の前方となる側を前側、使用者の後方となる側を後側とし、この前側と後側とを結ぶ方向を前後方向、前後方向に直交する水平方向を左右方向とする。
【００１６】
外殻部２は、樹脂の線状材や鋼線などを編んだ網状の板材で形成され、内部に植栽部３および潅水部４を設置可能なスペースを有している。
外殻部２は、板面が略上下方向を向き所定の高さに配置されて上面が座面２ａとなる座板部２１と、板面が略前後方向を向き座板部２１の前端部に接続して地面１１まで延びる前板部２２と、板面が略前後方向を向き座板部２１の後端部に接続して上方に延びて前面が背もたれ面２ｂとなる背もたれ板部２３と、板面が略上下方向を向き背もたれ板部２３の上端部に接続して後側に延びる上板部２４と、板面が略前後方向を向き上板部２４の後端部に接続して地面１１まで延びる後板部２５と、底部となる底板部２７と、を有している。
【００１７】
座板部２１は、平面視で略長方形状に形成されている。座板部２１、前板部２２，背もたれ板部２３，上板部２４および後板部２５は、左右方向の寸法が略同じ値となるように形成されている。
座板部２１と底板部２７とは上下方向に間隔をあけて配置され、背もたれ板部２３と後板部２５とは、前後方向に間隔をあけて配置されている。
座板部２１と底板部２７との間、および背もたれ板部２３と後板部２５との間に植栽部３が設置されている。
なお、本実施形態では、外殻部２は両側部が開口している。
【００１８】
外殻部２を形成する網状の板材は、着座した使用者の体重を支えることができる強度に形成されている。また、外殻部２を形成する網状の板材は、使用者が網目（孔部）２ｃ，２ｃ…を介して外殻部２の外部から内部の植栽部３の第１植物３１１および第２植物３２１を観賞可能にするとともに、網目を介して第１植物３１１および第２植物３２１へ光を当てることが可能となるように網目の寸法が設定されている。なお、底板部２７は、網状の板材で形成されていなくてもよい。
【００１９】
植栽部３は、座板部２１の下側に配置される第１植栽部３１と、上部側が背もたれ板部２３と後板部２５との間に配置され下部側が前板部２２と後板部２５との間に配置される第２植栽部３２と、第１植栽部３１および第２植栽部３２を覆うネット（網）３３と、を有している。
【００２０】
第１植栽部３１は、第１植物３１１と、第１植物３１１が植栽される第１緑化基盤３１２と、を有している。
第１緑化基盤３１２は、例えば、固化培土や改良土などを材料として形成され、第１植物３１１を育成させるための保水性と保肥性を有する基盤材で構成されている。本実施形態では、第１緑化基盤３１２は、板面が上下方向を向く平板状に形成されていて、外殻部２の底部の略全体に配置されている。
第１緑化基盤３１２は、貯水槽４１の上部に設置されて、外殻部２の前板部２２や後板部２５などに着脱可能に固定されている。
第１植物３１１としては、例えばタマリュウなどが挙げられ、第１緑化基盤３１２の上面に直接、または植生マットなどを用いて植栽されている。第１植物３１１は、座板部２１の下方に座板部２１と離間した位置に配置されている。
【００２１】
第２植栽部３２は、第２植物３２１と、第２植物３２１が植栽される第２緑化基盤３２２と、を有している。
第２緑化基盤３２２は、第１緑化基盤３１２と同様に、例えば、固化培土や改良土などを材料として形成され、第２植物３２１を育成させるための保水性と保肥性を有する基盤材で構成されている。本実施形態では、第２緑化基盤３２２は、板面が前後方向を向く平板状に形成されていて、背もたれ板部２３と後板部２５との間の略全体およびその下方に配置されている。
第２緑化基盤３２２は、第１緑化基盤３１２の上側に配置されて、外殻部２の背もたれ板部や後板部などに着脱可能に固定されている。
第２植物３２１としては、例えばつる植物などが挙げられ、第２緑化基盤３２２の前面および後面に直接、または植生マットなどを用いて植栽されている。第２緑化基盤３２２の前面に植栽された第２植物３２１は、背もたれ板部２３の後方に背もたれ板部２３と離間した位置に配置されている。第２緑化基盤３２２の後面に植栽された第２植物３２１は、後板部２５の前方に配置され、一部が後板部２５の網目２ｃから外部に飛び出している。
【００２２】
なお、第１緑化基盤３１２および第２緑化基盤３２２は、必要に応じて支持板（不図示）に支持されたり、第１植物３１１や第２植物３２１が植栽される側が開口した箱体や枠体（不図示）に収容されたりしていてもよい。
【００２３】
ネット３３は、樹脂の線状材や鋼線などを網状にした部材で、第１緑化基盤３１２や第２緑化基盤３２２などに係止された状態で第１植物３１１の上面および第２緑化基盤３２２の前面に植栽された第２植物３２１の前面を覆っている。なお、本実施形態では、第２緑化基盤３２２の後面に植栽された第２植物３２１は、ネット３３で覆われていない。
ネット３３は、使用者が網目を介して外殻部２の外部から内部の第１植物３１１および第２植物３２１を観賞可能にするとともに、網目を介して第１植物３１１および第２植物３２１へ光を当てることが可能となるように網目の寸法が設定されている。また、ネット３３は、網目から第１植物３１１および第２植物３２１が飛び出さないように網目の寸法が設定されている。
なお、ネット３３は、光を透過するように透明や半透明の材料で形成されていてもよい。
【００２４】
潅水部４は、第１植栽部３１および第２植栽部３２への潅水の余剰水および雨水の少なくとも一方を貯水する貯水槽４１と、貯水槽４１の水を第１緑化基盤３１２に導く第１給水棒４２と、貯水槽４１の水を第２緑化基盤３２２に導く第２給水棒４３と、を備えている。
貯水槽４１は、外殻部２の内部に設けられていて、潅水の余剰水および雨水の少なくとも一方を貯水可能であるとともに、外部から給水可能に構成されている。
第１給水棒４２は、下端部側が第１緑化基盤３１２に接続されるとともに下端部側が貯水槽４１の内部の水中に浸されている。
第２給水棒４３は、上端部側が第２緑化基盤３２２に接続されるとともに下端部側が貯水槽４１の内部の水中に浸されている。
本実施形態では、貯水槽４１は、下部側が貯水可能な箱状で、上部側が第１緑化基盤３１２を着脱可能なプランターで構成されている。
【００２５】
スライド機構５は、外殻部２の底板部２７に固定された固定レール５１と、貯水槽４１の下面に固定されて固定レール５１と相対移動可能な移動レール５２と、を有している。固定レール５１および移動レール５２は、それぞれ左右方向に延在していて、左右方向に相対移動可能に構成されている。
移動レール５２は、貯水槽４１および第１緑化基盤３１２を、外殻部２の開口している側部から出し入れする際に、貯水槽４１および第１緑化基盤３１２を支持した状態で固定レール５１に沿って左右方向に移動可能に構成されている。
【００２６】
次に、上述した緑化ベンチ１Ａの作用・効果について図面を用いて説明する。
上述した第１実施形態による緑化ベンチ１Ａによれば、外殻部２の内部に設けられた第１植物３１１および第２植物３２１を外部から観賞可能であるため、第１植物３１１および第２植物３２１が緑地や花壇の役割を果たすとともに、使用者が外殻部２の座面２ａおよび背もたれ面２ｂを使用して休息することができる。
また、第１植物３１１および第２植物３２１は、外殻部２の内部に設けられていて、外殻部２の座板部２１および背もたれ板部２３と離間していることにより、外殻部２の座面２ａに着座した使用者が第１植物３１１および第２植物３２１に直接触れることがなく、第１植物３１１および第２植物３２１が傷んだり、第１植物３１１および第２植物３２１によって使用者の服が汚れたりする虞がない。
【００２７】
また、第１植物３１１の上面および第２緑化基盤３２２の前面に植栽された第２植物３２１の前面は、ネット３３で覆われていることにより、第１植物３１１および第２植物３２１が座板部２１および背もたれ板部２３の網目から外殻部２の外部へ出てしまうことを抑えることができ、外殻部２の座面２ａに着座した使用者が第１植物３１１および第２植物３２１に直接触れることを防止できる。
【００２８】
また、外殻部２は網状の板材で形成されていることにより、網目２ｃを介して第１植物３１１および第２植物３２１を観賞できるとともに網目２ｃを介して第１植物３１１および第２植物３２１に光を当てることができる。
【００２９】
また、潅水部４は、第１植物３１１および第２植物３２１への潅水の余剰水および雨水の少なくとも一方を貯水する貯水槽４１の水を第１植物３１１および第２植物３２１に潅水することにより、潅水に使用する水の節減を図ることができる。
また、第１植栽部３１および第２植栽部３２は、外殻部２に着脱可能であることにより、外殻部２や第１植栽部３１および第２植栽部３２のメンテナンスや交換を容易に行うことができる。
【００３０】
また、第１植栽部３１および貯水槽４１は、外殻部２の内部と外部とをスライドして移動可能であることにより、外殻部２の網目２ｃを介して外殻部２の内部の第１植栽部３１の上に物を落とした場合でも、第１植栽部３１および貯水槽４１をスライドさせて引き出すことで、落としたものを容易に回収することができる。また、第１植栽部３１および貯水槽４１のメンテナンスを容易に行うことができる。
【００３１】
（第２実施形態）
次に、第２実施形態について、添付図面に基づいて説明するが、上述の第１実施形態と同一又は同様な部材、部分には同一の符号を用いて説明を省略し、実施形態と異なる構成について説明する。
図３および図４に示すように、第２実施形態による緑化ベンチ１Ｂは、座面７ａおよび背もたれ面７ｂを有する外殻部７が１本の樹木１２の幹１２ａの外周面と間隔をあけて樹木１２の幹１２ａを囲っている。外殻部７は、第１実施形態の外殻部２と同様の網状の板材で形成され、内部に植栽部３Ｂおよび潅水部４Ｂを設置可能なスペースを有している。
外殻部２は、樹木１２が傾いた際に、樹木１２と当接して樹木１２の倒木を防止できる強度および形状に形成されている。
第２実施形態では、樹木１２の幹１２ａを軸としてこの軸に対する径方向における樹木１２の幹１２ａに近づく側を内側とし、樹木１２の幹１２ａと離間する側を外側とする。
【００３２】
外殻部７は、地面１１に立設し樹木の幹を囲繞する軸方向を上下方向とする角筒状の内側板部７１と、内側板部７１の上端部全周から外側へ延びて板面が略ロの字状の上板部７２と、上板部７２の外側の端部全周から座面７ａの高さまで下方に延びる角筒状の背もたれ板部７３と、背もたれ板部７３の下端部の全周から外側に延びて板面が略ロの字状の座板部７４と、座板部７４の外側の端部全周から地面１１まで下方延びる角筒状の外側板部７５と、底部となる板面が略ロの字状の底板部７６と、を有している。
【００３３】
第２実施形態では、座板部７４と底板部７６との間に第１植栽部３１Ｂおよび潅水部４Ｂの貯水槽４１Ｂが平面視で略ロの字状となるように配置され、背もたれ板部７３と内側板部７１との間に第２植栽部３２Ｂが平面視で略ロの字状となるように設置されている。
第２植栽部３２Ｂの第２植物３２１Ｂは、第２緑化基盤３２２の外側の面のみに植栽されていて、内側の面には植栽されていない。このため、第２実施形態では、内側板部７１の内側から第２植物３２１Ｂを観賞する構成でないため、内側板部７１は網状の板材で形成されていなくてもよい。
【００３４】
外側板部７５は、座板部７４および底板部７６に対して着脱可能に構成されている。外側板部７５を座板部７４および底板部７６から取り外すと、第１植栽部３１Ｂおよび潅水部４Ｂの貯水槽４１Ｂを外殻部７に出し入れできるように構成されている。
なお、第２実施形態においても、第１植栽部３１Ｂおよび潅水部４Ｂの貯水槽４１Ｂを外殻部７の内部と外部とにわたってスライド可能に支持するスライド機構（不図示）が設けられていてもよい。
【００３５】
第２実施形態による緑化ベンチ１Ｂによれば、第１実施形態と同様の効果を奏するとともに、外殻部７が囲った樹木１２の倒木を防止することができる。
【００３６】
以上、本発明による緑化ベンチの実施形態について説明したが、本発明は上記の実施形態に限定されるものではなく、その趣旨を逸脱しない範囲で適宜変更可能である。
例えば、上記の実施形態では、外殻部２，７は、網状の板材で形成されているが、外殻部の内部と外部とを連通する孔部が形成されていれば、スリットが形成された部材や、パンチングメタルのような円形の孔部が多数形成された部材などで形成されていてもよい。
また、上記の第１実施形態では、外殻部２の側部が開口しているが、外殻部２の側部にも座板部２１や前板部２２などと同様に多数の孔部が形成された部材（以下、側板部とする）が設けられていてもよい。このような場合、側板部は、座板部２１、前板部２２、背もたれ板部２３、上板部２４、後板部２５および底板部２７に対して着脱可能で、植栽部３を外殻部２に出し入れする際に外殻部２の側方を開口できるように構成されていることが好ましい。
【００３７】
また、上記の実施形態では、第１植物３１１および第２植物３２１の表面がネット３３に覆われているが、覆われていなくてもよい。また、第１実施形態において、第２緑化基盤３２２の後側の面に植栽された第２植物３２１もネット３３に覆われていてもよい。
また、第１実施形態において、第２緑化基盤３２２の後側の面に第２植物３２１が植栽されていなくてもよい。
また、上記の実施形態では、第２緑化基盤３２２に植栽された第２植物３２１によって、背もたれ板部２３と後板部２５との間が緑化されているが、第１緑化基盤３１２に植栽された植物を背もたれ板部２３と後板部２５との間に設けられたワイヤなどに絡ませることによって背もたれ板部２３と後板部２５との間を緑化してもよい。
また、上記の実施形態では、潅水部４は、植栽部３への潅水の余剰水および雨水の少なくとも一方を貯水する貯水槽４１を有しているが、潅水部４に直接給水管が接続されて、給水管から供給された水を植栽部３へ潅水するように構成されていてもよい。
【００３８】
また、上記の実施形態では、第１植栽部３１および第２植栽部３２は、外殻部２，７に着脱可能であるが、外殻部２，７に固定されていてもよい。このような場合では、第１植栽部３１，３１Ｂおよび第２植栽部３２，３２Ｂのメンテナンスを外殻部２，７に固定された状態で行うことができるように、外殻部２，７にメンテナンス用の開口部が形成されていたり、外殻部２，７が少なくとも一部が分解できるように構成されていたりすることが好ましい。
また、上記の第１実施形態では、第１植栽部３１および貯水槽４１を外殻部２の内部と外部とわたってスライド可能に支持するスライド機構５が設けられているが、設けられていなくてもよい。
【符号の説明】
【００３９】
１Ａ，１Ｂ  緑化ベンチ
２，７  外殻部
２ａ，７ａ  座面
２ｂ，７ｂ  背もたれ面
２ｃ  網目（孔部）
３，３Ｂ  植栽部
４，４Ｂ  潅水部
５  スライド機構
３１，３１Ｂ  第１植栽部（植栽部）
３２，３２Ｂ  第２植栽部（植栽部）
３３  ネット
４１，４１Ｂ  貯水槽
３１１，３１１Ｂ  第１植物（植物）
３２１，３２１Ｂ  第２植物（植物）
【図１】
0006601754.tif 000002
【図２】
0006601754.tif 000003
【図３】
0006601754.tif 000004
【図４】
0006601754.tif 000005